(57)【要約】      （修正有）【課題】栽培範囲に柔軟に対応でき、また小型、コンパクトに折畳みできるようにして、保管時や運搬時のスペースを小さくでき、しかも組立て作業、連結作業を簡単化、迅速化でき、更には網目の大きさや形状、及び全体の形態を簡単に多種多様化できる蔓性植物の栽培補助装置を提供する。【解決手段】一定の規則正しい波形１ａに形成している硬質性の線状材１と、この線状材１を並列状に連結するための連結具２とを夫々複数備える。連結具２を、隣り合う線状材１同士に嵌め付けて連結可能に形成する。線状材１を略正弦波状に形成するのが良い。また、隣り合う線状材１同士の突き合わされる波形１ａの頂点位置を、線状材１の長手方向に沿って一定の長さだけ真直ぐに伸ばして直線部３に形成するのが良い。【選択図】図１
0003159813.tif 000002
【実用新案登録請求の範囲】
【請求項１】
一定の規則正しい波形に形成されている硬質性の線状材と、この線状材を並列状に連結するための連結具とを夫々複数備え、この連結具が隣り合う線状材同士に嵌め付けられて連結可能に形成されていることを特徴とする蔓性植物の栽培補助装置。
【請求項２】
請求項1記載の蔓性植物の栽培補助装置であって、線状材が略正弦波状に形成されていることを特徴とする蔓性植物の栽培補助装置。
【請求項３】
請求項１又は２記載の蔓性植物の栽培補助装置であって、隣り合う線状材同士の突き合わされる波形の頂点位置が、線状材の長手方向に沿って一定の長さだけ真直ぐに伸ばされて直線部に形成されていることを特徴とする蔓性植物の栽培補助装置。
【考案の詳細な説明】
【技術分野】
【０００１】
本考案は、蔓性植物の栽培補助装置に関し、更に詳しくは、例えばエンドウ、キュウリなどの野菜、朝顔、ノウゼンカズラなどの花卉、ブドウ、キウィフルーツなどの果物など、蔓が支柱等に巻き付いて成長してゆく蔓性植物の栽培に使用する蔓性植物の栽培補助装置に関するものである。
【背景技術】
【０００２】
従来、この種の装置としては、例えば特許文献１に記載されているものが知られている。
この従来品は、外枠を仕切棒で格子状に仕切って金網を形成し、この金網を蝶ネジ型のクランプで接続するよう形成している。
【０００３】
従って従来品の場合は、金網の大きさで栽培範囲、栽培面積が決定されることになるため、栽培範囲に、例えば空きスペースが生まれ易く、また栽培範囲を超えて金網が食み出たりするのを避けられなかった。
そのため、従来品によると、栽培範囲に柔軟に対応できず、過不足なくネットを張ることができない、という問題点があった。
【０００４】
また従来品は、上記の通り、金網単位で接続するため、保管時や運搬時の占有スペースが金網の大きさになるのを避けられなかった。
従って従来品によると、保管時や運搬時のスペースが広く必要になる、という問題点があった。
また従来品は、通常、蝶ネジで金網を締め付けて接続する構造のため、組立作業が面倒で手間暇がかかるのを避けられなかった。
【０００５】
更に従来品は、上記の通り、外枠を仕切棒で格子状に仕切って金網を形成するため、金網の網目形状がワンパターン化し、網目の大きさや形状を簡単に変更することができなかった。従って従来品によると、蔓性植物の蔓の成長や性質に応じた多種多様な形態の、この種装置を提供できなかった。
【先行技術文献】
【特許文献】
【０００６】
【特許文献１】特開２００１−１６１１７５号公報
【考案の概要】
【考案が解決しようとする課題】
【０００７】
本考案は、このような従来の実情に鑑み、提案されたものである。
従って本考案の解決しようとする技術的課題は、栽培範囲に柔軟に対応でき、また小型、コンパクトに折畳みできるようにして、保管時や運搬時のスペースを小さくでき、しかも組立て作業、連結作業を簡単化、迅速化でき、更には網目の大きさや形状、及び全体の形態を簡単に多種多様化できる使い勝手の良い蔓性植物の栽培補助装置を提供することにある。
【課題を解決するための手段】
【０００８】
本考案は、上記の課題を解決するため、次のような技術的手段を採る。
即ち、本考案は、図１等に示されるように、一定の規則正しい波形１ａに形成されている硬質性の線状材１と、この線状材１を並列状に連結するための連結具２とを夫々複数備え、この連結具２が隣り合う線状材１同士に嵌め付けられて連結可能に形成されていることを特徴とする（請求項１）。
【０００９】
ここで、一定の規則正しい波形１ａとは、周期運動をする波形１ａを意味し、具体的には正弦波、三角波、鋸波、方形波等の交流波形がある。この場合、波形１ａには、例えば形が同じで大きさの違う波形１ａが交番的に繰り返されるものも含まれる。またここで、硬質性の線状材１とは、波形１ａを保持可能な硬度を有する性質の線状の部材を意味し、具体的にはスチール等の金属材製の針金や、樹脂材などがある。この場合、線状材１を太くすると、通常、強度も高くなり、細くすると軽量化できる。なお、本考案品は、通常、屋外で使用されるため、線状材１は、例えば樹脂等で被膜されるなど、防錆加工が施されているのが良い。
【００１０】
また本考案の場合、連結具２は、通常、線状材１と嵌合する溝を、本体の両端部に備えて樹脂材や金属材でバンド状やコード状に形成される。この場合、連結具２は、連結作業を柔軟にできるよう、可撓質に形成されているのが良い。また金属製の場合は、線状材１と同様、防錆加工が施されているのが良い。なお、本考案の場合、連結具２の連結位置は、任意である。
【００１１】
而して、本考案は、線状材１が略正弦波状に形成されているのが好ましい（請求項２）。
なぜならこれによると、線状材１を並列状に並べたとき、連結箇所としての、突き合わされる波形１ａの頂点位置の数が増え、その分、連結状態を堅固にできるからである。またこれによると、網目５の形が四角形や菱形の同じ形になり、網目５が整然化した見た目の良い本考案品を提供できるからである。更に、この場合は、波形１ａが同じ状態のため、線状材１の製造、加工が容易になり、効率良く、安価に製造でき、また線状材１を連結する場合も、まごつくことなく効率良く組立作業を行うことができるからである。
なお、ここで、略正弦波状とは、完全な正弦波には限られず、三角波など、上記のような効果を得られる正弦波類似の波形１ａを含む、ということを意味する。
【００１２】
また本考案は、隣り合う線状材１同士の突き合わされる波形１ａの頂点位置が、線状材１の長手方向に沿って一定の長さだけ真直ぐに伸ばされて直線部３に形成されているのが好ましい（請求項３）。
【００１３】
なぜならこの場合は、連結具２の嵌め付け箇所が直線状のため、嵌め付け操作が容易になり、また直線部３を中心に連結具２を介して線状材１が回動可能になり折り畳み易くなるからである。従って、一定の長さは、連結具２の嵌合部２ａの長さとの絡みで適宜選定される。
【考案の効果】
【００１４】
本考案は、このように硬質性の線状材と、この線状材を並列状に連結するための連結具とで形成され、線状材を連結具で嵌め付けて連結してゆくものである。
従って本考案は、線状材を連結することにより、線状材という小さな単位で、例えば蔓の成長に合わせて過不足なくネットを増減できるから、これによれば栽培面積、栽培範囲の変更に柔軟に対応できる。
【００１５】
また本考案品は、上記の通り、線状材と連結具の僅か二種類の部品でなり、連結手順も明確、簡単であるから、これによればコストを低廉化でき、素人でも一定の精度、品質で、簡単、迅速に組立てできる。
【００１６】
また本考案品は、連結具の位置から線状材を、小型、コンパクトに折畳むことができる。従ってこれによれば、占有スペースを小さくでき、保管や収納、運搬時の省スペース化を図ることができる。
【００１７】
また本考案品は、波形の一辺の長さや角度の違う線状材を連結したり、また長さの異なる線状材を連結することで、網目の大きさや形状、及び全体の形態を、多種多様に変化、変更できる。
従ってこれによれば、蔓性植物の生育態様に合った使い勝手の良いこの種装置を提供できる。
【図面の簡単な説明】
【００１８】
【図１】本考案の栽培補助装置の好適な一実施形態を示し、Ａは連結状態の要部正面図、ＢはＡのＢ−Ｂ線拡大断面図である。
【図２】線状材の要部正面図である。
【図３】連結具を示し、Ａは平面図、ＢはＡのＢ−Ｂ線から見た連結具の裏面図である。
【図４】連結作業を説明するための要部斜視図である。
【図５】連結されて組み立てられた状態を示す本考案品の要部正面図である。
【図６】折り畳み時の作業を説明するための要部斜視図である。
【図７】折り畳まれた状態を説明するための要部斜視図である。
【図８】波形の大きさの違う線状材を連結した例を示し、Ａ、Ｂ、Ｃとも要部正面図である。
【図９】連結形態の一例を示す要部正面図である。
【考案を実施するための形態】
【００１９】
以下、本考案を実施するための好適な一実施形態を、添付図面に従って説明する。
本考案は、図１等に示されるように、一定の規則正しい波形１ａに形成されている硬質性の線状材１と、この線状材１を並列状に連結するための連結具２とを夫々複数備えて形成されている。
【００２０】
線状材１は、この実施形態ではスチール製の太めの針金が略正弦波状に折り曲げられて形成されている。線状材１としての針金の表面は、樹脂で被膜され、防錆対策が施されている。
【００２１】
また線状材１は、図２に示されるように、波形１ａの頂点位置が、線状材１の長手方向に沿って一定の長さだけ真直ぐに伸ばされて直線部３に形成されている。この直線部３の長さは、線状材１同士を連結する連結具２の嵌合部２ａとしての溝の長さより長く選定される。線状材１は、波形１ａの直線部３に、連結具２の嵌合部２ａが嵌め付けられることにより、並列状に連結されるものである。
【００２２】
また上記の連結具２は、この実施形態では、図１Ｂ、図３等に示されるように、バンド状に樹脂材で形成されている。そして嵌合部２ａとしての溝は、連結具２の両端部に互いに平行になるよう、形成されている。
【００２３】
この場合、溝幅（溝径）は、線状材１の径より僅かに大きい状態に選定され、溝のスリット状の嵌め込み口４の幅は、線状材１の径より小さく形成されている。嵌合部２ａとしての溝が、線状材１に嵌め込まれると、嵌め込み口４の口縁部４ａで線状材１は挟持され、抜脱が防止される。
【００２４】
次に、この実施形態に係る本考案品の組立て例を説明する。
本考案品は、図４に示されるように、一方の線状材１の波形１ａの直線部３に、連結具２の一端側の嵌合部２ａとしての溝を嵌め付け、また他方の線状材１の直線部３に、連結具２の他端側の嵌合部２ａとしての溝を嵌め付ける。
【００２５】
この実施形態の場合、連結具２は、上記の通り、バンド状に形成されている。従って使用者は、溝のスリット状の嵌め込み口４の端部から線状材１に嵌め込んで行くと、抵抗を低減でき、小さな力で楽に嵌め込むことができる。そして連結具２が、線状材１に嵌め込まれると、嵌合部２ａの口縁部４ａが線状材１を挟持する。これにより線状材１の連結状態が堅持され、組立て後も安定した使用が可能になる。
【００２６】
而して、例えば全ての波形１ａの直線部３に連結具２が嵌め込まれて線状材１が連結されると、本考案品は、図１Ａ、図５に示されるように、網状（ネット状）に線状材１が連結される。
本考案品は、このような平面状態で所定位置に斜めに立て掛けたり、また棚状に載置したり、或いは、連結具２の位置から、例えばジグザグ状等に折り曲げて立体化し、その状態で地面に立てて使用する。蔓性植物の蔓は、本考案品の場合、網目５に巻き付いたり、絡み付いて支持される。
【００２７】
また本考案品を保管したり、運搬するときは、図６に示されるように、使用者は、先ず、例えば端の線状材１を持ち上げ、次に連結具２の箇所から順次折り重ねて束ねて行く。これにより本考案品は、図７に示されるように、線状材１の基本形に折り重ねることができる。
【００２８】
従って本考案品によると、不使用時は線状材１の占める大きさに小型化、コンパクト化でき、保管時や運搬時のスペースを小さくできる。
なお、線状材１の連結状態を解除するときは、隣り合う一方の線状材１を片手で押さえ、嵌合部２ａとしての溝の端部の方から引き上げて線状材１から連結具２を取り外す。
【００２９】
以上の処において、本考案品は、図８に示されるように、線状材１の波形１ａの一辺１ａ１の長さや角度１ａ２は、自由に選定されるので良い。一辺１ａ１の長さや角度１ａ２が異なると、波形１ａは大きさや形が異なり、連結時の網目５の大きさや形も異なることになる。
【００３０】
同図Ａ〜Ｃは、角度１ａ２は同じで一辺１ａ１の長さが異なる線状材１同士を連結したときの例を示し、この場合は網目５の大きさを、Ａ〜Ｃの順に小さく変化させることができる。
また本考案品は、鋸波や方形波などからなる線状材１同士を連結するのでも良いから、これによると、網目５の形態を多種多様化でき、バリエーションに富んだネットを形成できる。
【００３１】
また本考案品は、図９に示されるように、長さの違う線状材１同士を、例えば長さ順に連結することにより、上辺部６等を傾斜状に形成したり、或いは高さがジグザグ状になるよう、並び方を変えて連結することができる。
従って本考案品によれば、蔓の伸び方などに合わせ、自由自在に形態を変化させることができ、使い勝手が良くなるものである。
【符号の説明】
【００３２】
１      線状材
１ａ    波形
１ａ１  一辺
１ａ２  角度
２      連結具
２ａ    嵌合部
３      直線部
４      嵌め込み口
４ａ    口縁部
５      網目
６      上辺部
【図１】
0003159813.tif 000003
【図２】
0003159813.tif 000004
【図３】
0003159813.tif 000005
【図４】
0003159813.tif 000006
【図５】
0003159813.tif 000007
【図６】
0003159813.tif 000008
【図７】
0003159813.tif 000009
【図８】
0003159813.tif 000010
【図９】
0003159813.tif 000011